(57)【特許請求の範囲】
【請求項１】
指向性を有する複数のセクタアンテナを備え、ＣＤＭＡ方式により変調されて移動局から無線送信された信号をセクタアンテナにより受信し、受信した信号を復調処理するＣＤＭＡ無線基地局において、
単一のセクタアンテナにより受信した信号を復調処理する非ハンドオーバ用信号処理部と、複数のセクタアンテナにより受信した信号を復調処理する際に当該信号を合成することが可能なハンドオーバ用信号処理部とを別個に備え、
移動局から無線送信された同一の信号が複数のセクタアンテナにより受信されるセクタ間ハンドオーバ状態を検出して当該信号をハンドオーバ用信号処理部により復調処理させて当該信号を合成させる制御手段を備えたことを特徴とするＣＤＭＡ無線基地局。
【請求項２】
請求項１に記載のＣＤＭＡ無線基地局において、
ハンドオーバ用信号処理部は、信号を復調する復調部と信号を合成する合成部とを有したベースバンドユニットから構成されており、合成対象となる複数の信号を同一のベースバンドユニット上で復調及び合成することを特徴とするＣＤＭＡ無線基地局。
【請求項３】
指向性を有する複数のセクタアンテナを備え、ＣＤＭＡ方式により変調されて移動局から無線送信された信号をセクタアンテナにより受信し、受信した信号をセクタアンテナ毎に複数設けられた信号処理部により復調処理するＣＤＭＡ無線基地局において、
セクタアンテナ毎に複数設けられた信号処理部の一部を、複数のセクタアンテナにより受信した信号を復調処理する際に当該信号を合成することが可能なハンドオーバ用信号処理部に代えて、単一のセクタアンテナにより受信した信号を復調処理する非ハンドオーバ用信号処理部とし、
移動局から無線送信された同一の信号が複数のセクタアンテナにより受信されるセクタ間ハンドオーバ状態を検出して当該信号をハンドオーバ用信号処理部により復調処理させて当該信号を合成させる制御手段を備えたことを特徴とするＣＤＭＡ無線基地局。
【発明の詳細な説明】
【０００１】
【発明の属する技術分野】
本発明は、指向性を有する複数のセクタアンテナを備え、ＣＤＭＡ（符号分割多元接続）方式により変調されて移動局から無線送信された信号をセクタアンテナにより受信して復調処理するＣＤＭＡ無線基地局に関し、特に、セクタ間ハンドオーバ時における受信信号の合成処理を行う構成を簡易化したＣＤＭＡ無線基地局に関する。
【０００２】
【従来の技術】
ＣＤＭＡ方式は、例えば移動体通信等の無線通信分野で用いられており、秘匿性が高く、干渉波を排除する能力が高い通信方式として知られている。このＣＤＭＡ方式では、例えばユーザ（通信チャネル）毎に独立な拡散符号が割り当てられており、送信側が拡散符号を用いて変調した信号を無線により送信する一方、受信側が受信した信号と拡散符号との相関をとること（すなわち、逆拡散）により希望の信号を抽出して復調等することが行われている。
【０００３】
例えばＣＤＭＡ方式を用いて無線基地局（ＣＤＭＡ無線基地局）と移動局との間で無線通信を行う移動体通信システムでは、トラフィックの多い地域にＣＤＭＡ無線基地局を設置する場合等に、当該無線基地局に指向性を有する複数のセクタアンテナを備えることで、当該無線基地局により通信可能な領域（セル）を複数の通信領域（セクタ）に分割したセクタセル構成を形成することが行われている。このセクタセル構成では、ＣＤＭＡ無線基地局に備えられた指向性を有する各セクタアンテナ毎にセクタが構成されるため、例えば各セクタアンテナでは指向方向以外の方向に関する干渉波の影響が低減され、周波数の利用効率を向上させることができる。
【０００４】
また、このようなセクタセル構成が用いられる場合には、移動局がＣＤＭＡ無線基地局に備えられた複数のセクタアンテナの通信可能領域（セクタ）の間を移動することもあり、このような場合には、ＣＤＭＡ無線基地局ではセクタ間ハンドオーバ処理が行われる。すなわち、このようなセクタ間ハンドオーバ時には、移動局から無線送信された同一の信号がＣＤＭＡ無線基地局の複数のセクタアンテナにより受信されることとなり、当該無線基地局では複数のセクタアンテナにより受信した同一の信号を合成（ダイバーシチ合成）処理するセクタ間ハンドオーバ処理が行われる。
【０００５】
上記のようなセクタ間ハンドオーバ処理を行うＣＤＭＡ無線基地局の構成例を図５及び図６を用いて説明する。
図５には、このようなＣＤＭＡ無線基地局の構成例を示してあり、このＣＤＭＡ無線基地局には、ＲＦ信号（無線周波数信号）を送受信する複数のセクタアンテナを設けたアンテナ部７１と、送信対象のＲＦ信号や受信したＲＦ信号を増幅する送受信増幅部（ＡＭＰ）７２と、ベースバンド信号をＲＦ信号へ変換することやＲＦ信号をベースバンド信号へ変換することを行う無線（ＲＦ）部（ＴＲＸ）７３と、ベースバンド信号処理を行うベースバンド（ＢＢ）部７４と、ベースバンド部７４と有線伝送路との間でデータの変換等を行う有線伝送路インターフェイス部（ＨＷＹ  ＩＮＴ）７５と、例えばＭＣＣ−ＳＩＭといったシステム制御部との間で制御信号を送受信し、無線回線の管理等を行う無線基地局制御部（ＣＮＴ）７６とが備えられている。
【０００６】
上記したＣＤＭＡ無線基地局では、例えば有線伝送路インターフェイス部７５が有線伝送路から受信したデータをベースバンド部７４がベースバンド信号処理し、処理したベースバンド信号を無線部７３がＲＦ信号へ変換して送受信増幅部７２が増幅し、増幅したＲＦ信号をアンテナ部７１のセクタアンテナから無線で送信する。また、アンテナ部７１で受信されたＲＦ信号を送受信増幅部７２が増幅して無線部７３がベースバンド信号へ変換し、変換したベースバンド信号をベースバンド部７４がベースバンド信号処理し、これにより得られたデータを有線伝送路インターフェイス部７５が有線伝送路へ送信することにより信号の受信処理等が行われる。なお、無線基地局制御部７６は上記した各処理部７１〜７５の制御等を行う。
【０００７】
図６には、上記した無線部７３やベースバンド部７４等から構成される各セクタアンテナ毎の受信部の更に詳しい構成例を示してある。なお、同図の例では、説明の便宜上から、ＣＤＭＡ無線基地局に２つのセクタアンテナＴ４ａ、Ｔ４ｂを備えた構成（２セクタ構成）が用いられた場合を示してある。
同図に示した構成では、各セクタアンテナＴ４ａ、Ｔ４ｂ毎に同様な構成から成る受信部Ｓ４ａ、Ｓ４ｂが備えられており、一方のセクタアンテナＴ４ａに備えられた受信部Ｓ４ａを”セクタＡの受信部”として示してある一方、他方のセクタアンテナＴ４ｂに備えられた受信部Ｓ４ｂを”セクタＢの受信部”として示してある。
【０００８】
ここで、上記したようにセクタＡの受信部Ｓ４ａとセクタＢの受信部Ｓ４ｂとは同様な構成であるため、説明の便宜上から、これら両受信部Ｓ４ａ、Ｓ４ｂの構成をまとめて説明する。
すなわち、各受信部Ｓ４ａ、Ｓ４ｂは、例えば、上記図５に示した無線部７３を構成する無線部８１ａ、８１ｂと、上記図５に示したベースバンド部７４を構成する複数のベースバンドカードＥ１ａ〜Ｅ３ａ、Ｅ１ｂ〜Ｅ３ｂと、上記図５に示した有線伝送路インターフェイス部７５を構成する有線伝送路インターフェイス部９７ａ、９７ｂと、セクタ間でダイバーシチ合成を行う場合に合成対象の信号を選択するスイッチを有した切替部９８ａ、９８ｂと、当該切替部９８ａ、９８ｂを制御する切替制御部（ＣＯＮＴ）９９ａ、９９ｂとから構成されている。
【０００９】
また、同図の例では、各セクタ毎のベースバンド部をそれぞれ３つのベースバンドカードＥ１ａ〜Ｅ３ａ、Ｅ１ｂ〜Ｅ３ｂから構成した場合を示してあり、各ベースバンドカードＥ１ａ〜Ｅ３ａ、Ｅ１ｂ〜Ｅ３ｂの構成は同様である。
すなわち、各ベースバンドカードＥ１ａ〜Ｅ３ａ、Ｅ１ｂ〜Ｅ３ｂにはそれぞれ、無線部８１ａ、８１ｂから入力されたベースバンド信号を逆拡散して当該信号を復調する２つの復調部８２ａ〜８７ａ、８２ｂ〜８７ｂと、これら２つの復調部８２ａ〜８７ａ、８２ｂ〜８７ｂの切替を行うスイッチを有した時分割用切替部８８ａ〜９０ａ、８８ｂ〜９０ｂと、復調した信号をセクタ間で合成する合成部９１ａ〜９３ａ、９１ｂ〜９３ｂと、誤り訂正処理を行う復号部９４ａ〜９６ａ、９４ｂ〜９６ｂとが備えられている。
【００１０】
上記のように、図６に示した例では、各ベースバンドカードＥ１ａ〜Ｅ３ａ、Ｅ１ｂ〜Ｅ３ｂでは最高で２つの受信信号を処理することが可能な構成（すなわち、ユーザ数が２）としてあり、セクタＡとセクタＢの２つの受信部Ｓ４ａ、Ｓ４ｂの全体では最高で１２ユーザ分（すなわち、トータルユーザ数が１２）の受信信号を処理することが可能である。
また、上記のように、同図の例では、各ベースバンドカードＥ１ａ〜Ｅ３ａ、Ｅ１ｂ〜Ｅ３ｂにはそれぞれ１つずつの合成部９１ａ〜９３ａ、９１ｂ〜９３ｂと復号部９４ａ〜９６ａ、９４ｂ〜９６ｂとが備えられており、上記した時分割用切替部８８ａ〜９０ａ、８８ｂ〜９０ｂが２つの復調部８２ａ〜８７ａ、８２ｂ〜８７ｂと合成部９１ａ〜９３ａ、９１ｂ〜９３ｂとの接続を切り替えることで、２つの復調部８２ａ〜８７ａ、８２ｂ〜８７ｂからの信号を時分割で処理することが可能である。
【００１１】
次に、上記図６に示した受信部Ｓ４ａ、Ｓ４ｂにより行われる動作の具体例を示す。
例えばユーザにより操作される移動局が一方のセクタアンテナＴ４ａのみにより通信可能な場所に位置している場合には、移動局から無線送信された信号が当該セクタアンテナＴ４ａにより受信されて、セクタＡの受信部Ｓ４ａの無線部８１ａによりベースバンド信号へ周波数変換された後に、変換されたベースバンド信号が例えば或るベースバンドカードＥ１ａの復調部８２ａでＡ／Ｄ変換や逆拡散されて復調される。そして、復調された信号が合成部９１ａを介して復号部９４ａに入力され、復号部９４ａで誤り訂正された後に有線伝送路インターフェイス部９７ａへ出力される。
【００１２】
一方、例えばユーザの移動等に伴って移動局が２つのセクタアンテナＴ４ａ、Ｔ４ｂの両方により通信可能な場所に位置するセクタ間ハンドオーバ状態となると、ＣＤＭＡ無線基地局の受信部Ｓ４ａ、Ｓ４ｂでは、上記したように複数のセクタアンテナＴ４ａ、Ｔ４ｂにより当該移動局から受信した同一の信号を合成するダイバーシチ合成が行われる。ここで、このような合成処理は例えば各セクタアンテナＴ４ａ、Ｔ４ｂで受信した信号を復調した後に行われるのが好ましい。
【００１３】
具体的には、移動局から無線送信された同一の信号が２つのセクタアンテナＴ４ａ、Ｔ４ｂにより受信される場合には、例えば切替制御部９９ａ、９９ｂがセクタＡの受信部Ｓ４ａで当該信号を復調する復調部（復調部８２ａ〜８７ａのいずれか）とセクタＢの受信部Ｓ４ｂで当該信号を復調する復調部（復調部８２ｂ〜８７ｂのいずれか）とを特定し、特定した一方の復調部から出力される復調信号を特定した他方の復調部が接続される合成部（合成部９１ａ〜９３ａ、９１ｂ〜９３ｂのいずれか）に入力させるように切替部（切替部９８ａ、９８ｂのいずれか）のスイッチを切替制御する。これにより、上記した他方の復調部が接続される合成部では特定された同一の信号が合成され、セクタ間ハンドオーバ状態におけるダイバーシチ合成が実現される。
【００１４】
【発明が解決しようとする課題】
しかしながら、上記図６に示したような従来のＣＤＭＡ無線基地局の受信部の構成では、例えば各セクタアンテナ毎に複数備えられた全ての復調部について上記したダイバーシチ合成を行うことが可能な構成としていたため、装置のコストや装置のサイズを無駄に大きくしてしまっているといった不具合があった。
【００１５】
具体的に、例えば上記図６に示した構成では、セクタＡの受信部Ｓ４ａに備えられた６つの復調部８２ａ〜８７ａとセクタＢの受信部Ｓ４ｂに備えられた６つの復調部８２ｂ〜８７ｂとのいずれの組合せにおいてもダイバーシチ合成が可能なように全ての組合せについて合成用の信号線を設ける等しているが、実際には通信対象となる全ての移動局がセクタ間ハンドオーバ状態となる場合は稀であり、また、これらの受信部Ｓ４ａ、Ｓ４ｂに備えられた復調部８２ａ〜８７ａ、８２ｂ〜８７ｂの全てが同時にダイバーシチ合成に割り当てられることはほとんどなかった。
【００１６】
このように、従来のＣＤＭＡ無線基地局の受信部では、セクタ間での全ての復調部の組合せについてダイバーシチ合成が可能な機能を有しているにもかかわらず、実際には、このような機能が十分に活用されるような状況はほとんど生じないため、例えば上記図６に示した切替制御部９９ａ、９９ｂにかかる負荷が無駄に大きくなってしまうことや、全ての復調部から合成用の信号線を出すためにセクタ間でのバスラインが無駄に増加してしまうことや、ベースバンドカードの合成部に対する制御ラインが無駄に増加してしまうことが生じ、これにより、上記したように装置のコストや装置のサイズが増大してしまうといった不具合があった。なお、このような不具合は、例えばＣＤＭＡ無線基地局に備えるセクタアンテナの数やトータルユーザ数を増加させる場合には更に顕著であった。
【００１７】
本発明は、このような従来の課題を解決するためになされたもので、指向性を有する複数のセクタアンテナを備え、ＣＤＭＡ方式により変調されて移動局から無線送信された信号をセクタアンテナにより受信して復調処理するに際して、セクタ間ハンドオーバ時における受信信号の合成処理を行う構成を簡易化することにより、装置コストの低減や装置サイズの縮小を図ることができるＣＤＭＡ無線基地局を提供することを目的とする。
【００１８】
【課題を解決するための手段】
上記目的を達成するため、本発明に係るＣＤＭＡ無線基地局では、指向性を有する複数のセクタアンテナを備え、ＣＤＭＡ方式により変調されて移動局から無線送信された信号をセクタアンテナにより受信し、受信した信号を復調処理するに際して、次のような構成によりセクタ間ハンドオーバ時における受信信号の合成処理を行う。
【００１９】
すなわち、本発明のＣＤＭＡ無線基地局では、単一のセクタアンテナにより受信した信号を復調処理する非ハンドオーバ用信号処理部と、複数のセクタアンテナにより受信した信号を復調処理する際に当該信号を合成することが可能なハンドオーバ用信号処理部とを別個に備え、制御手段が移動局から無線送信された同一の信号が複数のセクタアンテナにより受信されるセクタ間ハンドオーバ状態を検出して当該信号をハンドオーバ用信号処理部により復調処理させて当該信号を合成させる。
【００２０】
従って、例えば従来のＣＤＭＡ無線基地局では受信信号を復調処理する信号処理部をセクタアンテナ毎に複数設ける場合等にこれら全ての信号処理部をハンドオーバ用信号処理部から構成していたが、本発明のＣＤＭＡ無線基地局では、これら複数の信号処理部の一部を非ハンドオーバ用信号処理部から構成してあるため、残りのハンドオーバ用信号処理部を用いてセクタ間ハンドオーバ状態における受信信号の合成が可能な構成を担保しつつ、非ハンドオーバ用信号処理部とした部分については合成用の信号線等を省略することができ、これにより、装置コストの低減や装置サイズの縮小を図ることができる。
【００２１】
なお、移動局から無線送信された信号が単一のセクタアンテナにより受信される場合には、例えば上記した非ハンドオーバ用信号処理部により復調処理が行われる。また、例えばハンドオーバ用信号処理部にも復調処理の際に合成処理を行う上記機能の他に、単一のセクタアンテナにより受信した信号を復調処理する機能を設けておけば、当該ハンドオーバ用信号処理部でも非ハンドオーバ用信号処理部と同様な処理を行うことを可能にすることができる。
【００２２】
また、本発明に係るＣＤＭＡ無線基地局では、上記したハンドオーバ用信号処理部は、信号を復調する復調部と信号を合成する合成部とを有したベースバンドユニットから構成されており、合成対象となる複数の信号（すなわち、複数のセクタアンテナにより受信された同一の信号）を同一のベースバンドユニット上で復調及び合成する。
このような構成を用いた場合には、合成対象となる複数の信号を１つのベースバンドユニット上で処理することができるため、当該処理の制御が簡易になる等といった効果を得ることができる。
【００２３】
また、本発明に係るＣＤＭＡ無線基地局では、指向性を有する複数のセクタアンテナを備え、ＣＤＭＡ方式により変調されて移動局から無線送信された信号をセクタアンテナにより受信し、受信した信号をセクタアンテナ毎に複数設けられた信号処理部により復調処理するに際して、次のような構成によりセクタ間ハンドオーバ時における受信信号の合成処理を行う。
【００２４】
すなわち、本発明のＣＤＭＡ無線基地局では、セクタアンテナ毎に複数設けられた信号処理部の一部を、複数のセクタアンテナにより受信した信号を復調処理する際に当該信号を合成することが可能なハンドオーバ用信号処理部に代えて、単一のセクタアンテナにより受信した信号を復調処理する非ハンドオーバ用信号処理部とし、制御手段が移動局から無線送信された同一の信号が複数のセクタアンテナにより受信されるセクタ間ハンドオーバ状態を検出して当該信号をハンドオーバ用信号処理部により復調処理させて当該信号を合成させる。
【００２５】
このように、本発明のＣＤＭＡ無線基地局では、例えば当該無線基地局が設置される環境や移動局との間の通信状況等に応じて、セクタアンテナ毎に複数設けられた信号処理部の一部をハンドオーバ用信号処理部から非ハンドオーバ用信号処理部へ変更することが可能な構成を用いることもでき、このような変更により、信号処理部に備えられる合成用の信号線の低減等を実現することができる。
【００２６】
なお、上記した本発明の請求項１に係るＣＤＭＡ無線基地局は、同様にハンドオーバ用信号処理部の一部を非ハンドオーバ用信号処理部へ変更するという思想に基づいて創作されたものではあるが、請求項１に係るＣＤＭＡ無線基地局では、必ずしもハンドオーバ用信号処理部と非ハンドオーバ用信号処理部との変更が可能な構成が用いられる必要はなく、ハンドオーバ用信号処理部の数や非ハンドオーバ用信号処理部の数が一定に固定されている構成が用いられてもよい。
【００２７】
【発明の実施の形態】
本発明の第１実施例に係るＣＤＭＡ無線基地局を図面を参照して説明する。
図１には、本発明に係るＣＤＭＡ無線基地局の一例を示してあり、このＣＤＭＡ無線基地局には、ＲＦ信号を送受信する複数のセクタアンテナを設けたアンテナ部１と、送信対象のＲＦ信号や受信したＲＦ信号を増幅する送受信増幅部（ＡＭＰ）２と、ベースバンド信号をＲＦ信号へ変換することやＲＦ信号をベースバンド信号へ変換することを行う無線（ＲＦ）部（ＴＲＸ）３と、ベースバンド信号処理を行うベースバンド（ＢＢ）部４と、ベースバンド部４と有線伝送路との間でデータの変換等を行う有線伝送路インターフェイス部（ＨＷＹ  ＩＮＴ）５と、例えばＭＣＣ−ＳＩＭとの間で制御信号を送受信し、無線回線の管理等を行う無線基地局制御部（ＣＮＴ）６とが備えられている。
【００２８】
ここで、上記したアンテナ部１に備えられた複数のセクタアンテナは指向性を有するアンテナであり、本例のＣＤＭＡ無線基地局では、当該セクタアンテナを用いて移動局との間でＣＤＭＡ方式により信号を無線通信することを行う。具体的には、本例のＣＤＭＡ無線基地局では、例えばＣＤＭＡ方式により変調処理した信号をセクタアンテナにより移動局に対して無線送信する一方、ＣＤＭＡ方式により変調されて移動局から無線送信された信号をセクタアンテナにより受信し、受信した信号を復調処理することを行う。
【００２９】
本例では、上記したベースバンド部４がセクタ間でのハンドオーバ（ＨＯ）時に用いられるハンドオーバ用の構成部分と、このようなハンドオーバを行わない場合に用いられる非ハンドオーバ用の構成部分とを別個に有しており、後述するように本例のＣＤＭＡ無線基地局では、通信対象となる移動局との間でセクタ間ハンドオーバ状態が生じた場合（セクタ間ハンドオーバ時）にはハンドオーバ用の構成部分に受信信号の処理を行わせる一方、セクタ間ハンドオーバ状態が生じていない場合（非ハンドオーバ時）には非ハンドオーバ用の構成部分に受信信号の処理を行わせるように制御を行う。
【００３０】
なお、本例のＣＤＭＡ無線基地局により行われるＲＦ信号の送信処理や受信処理等は、上記のように本例ではハンドオーバ用の信号処理部と非ハンドオーバ用の信号処理部とを使い分けて受信処理をしているといった点を除いては、例えば上記図５に示したＣＤＭＡ無線基地局により行われる通信処理とほぼ同様であるため、本例では、上記図５に示したＣＤＭＡ無線基地局の場合と同様な処理については説明を省略する。
【００３１】
図２には、上記した本例のＣＤＭＡ無線基地局に備えられた無線部３やベースバンド部４等から構成される各セクタアンテナ毎の受信部の更に詳しい構成例を示してある。なお、本例では、説明の便宜上から、ＣＤＭＡ無線基地局に２つのセクタアンテナＴ１ａ、Ｔ１ｂを備えた構成（２セクタ構成）が用いられた場合を示してある。
同図に示した構成では、各セクタアンテナＴ１ａ、Ｔ１ｂ毎に同様な構成から成る受信部Ｓ１ａ、Ｓ１ｂが備えられており、一方のセクタアンテナＴ１ａに備えられた受信部Ｓ１ａを”セクタＡの受信部”として示してある一方、他方のセクタアンテナＴ１ｂに備えられた受信部Ｓ１ｂを”セクタＢの受信部”として示してある。
【００３２】
ここで、上記したようにセクタＡの受信部Ｓ１ａとセクタＢの受信部Ｓ１ｂとは同様な構成であるため、説明の便宜上から、これら両受信部Ｓ１ａ、Ｓ１ｂの構成をまとめて説明する。
すなわち、各受信部Ｓ１ａ、Ｓ１ｂは、例えば、上記図１に示した無線部３を構成する無線部１１ａ、１１ｂと、上記図１に示したベースバンド部４を構成する複数のベースバンドカードＢ１ａ〜Ｂ３ａ、Ｂ１ｂ〜Ｂ３ｂと、上記図１に示した有線伝送路インターフェイス部５を構成する有線伝送路インターフェイス部２５ａ、２５ｂと、セクタ間でダイバーシチ合成を行う場合に合成対象の信号を選択するスイッチを有した切替部２６ａ、２６ｂと、当該切替部２６ａ、２６ｂを制御する切替制御部（ＣＯＮＴ）２７ａ、２７ｂとから構成されている。
【００３３】
本例では、各セクタ毎のベースバンド部をそれぞれ３つのベースバンドカードＢ１ａ〜Ｂ３ａ、Ｂ１ｂ〜Ｂ３ｂから構成した場合を示してあり、各セクタ毎に備えられた３つのベースバンドカードＢ１ａ〜Ｂ３ａ、Ｂ１ｂ〜Ｂ３ｂの内の２つのベースバンドカードＢ１ａ〜Ｂ２ａ、Ｂ１ｂ〜Ｂ２ｂが非ハンドオーバ用に構成されており、残りの１つのベースバンドカードＢ３ａ、Ｂ３ｂがハンドオーバ用に構成されている。なお、各セクタ毎に備えられる２つの非ハンドオーバ用のベースバンドカード（ベースバンドカードＢ１ａ及びベースバンドカードＢ２ａや、ベースバンドカードＢ１ｂ及びベースバンドカードＢ２ｂ）の構成は互いに同様である。
【００３４】
非ハンドオーバ用のベースバンドカードＢ１ａ〜Ｂ２ａ、Ｂ１ｂ〜Ｂ２ｂにはそれぞれ、無線部１１ａ、１１ｂから入力されたベースバンド信号を逆拡散して当該信号を復調する２つの復調部１２ａ〜１５ａ、１２ｂ〜１５ｂと、これら２つの復調部１２ａ〜１５ａ、１２ｂ〜１５ｂの切替を行うスイッチを有した時分割用切替部１８ａ〜１９ａ、１８ｂ〜１９ｂと、誤り訂正処理を行う復号部２１ａ〜２２ａ、２１ｂ〜２２ｂとが備えられている。
本例では、上記した非ハンドオーバ用のベースバンドカードＢ１ａ〜Ｂ２ａ、Ｂ１ｂ〜Ｂ２ｂにより、単一のセクタアンテナにより受信した信号を復調処理する非ハンドオーバ用信号処理部が構成されている。
【００３５】
また、ハンドオーバ用のベースバンドカードＢ３ａ、Ｂ３ｂにはそれぞれ、上記した非ハンドオーバ用のベースバンドカードＢ１ａ〜Ｂ２ａ、Ｂ１ｂ〜Ｂ２ｂに備えられたものと同様な２つの復調部１６ａ〜１７ａ、１６ｂ〜１７ｂや時分割用切替部２０ａ、２０ｂや復号部２３ａ、２３ｂが備えられているとともに、復調した信号をセクタ間で合成する合成部２４ａ、２４ｂが備えられている。
【００３６】
また、本例では、セクタＡのハンドオーバ用ベースバンドカードＢ３ａに備えられた２つの復調部１６ａ、１７ａとセクタＢのハンドオーバ用ベースバンドカードＢ３ｂに備えられた２つの復調部１６ｂ、１７ｂとの全ての組合せについて復調信号の合成が可能なように、これら各セクタ（セクタＡ、セクタＢ）の復調部１６ａ〜１７ａ、１６ｂ〜１７ｂの出力端と他方のセクタ（セクタＢ、セクタＡ）の合成部２４ｂ、２４ａの入力端とを接続するための信号線（合成用の信号線）が設けられている。なお、上記のように、一方のセクタの復調部１６ａ〜１７ａ、１６ｂ〜１７ｂと他方のセクタの合成部２４ｂ、２４ａとの間の接続の切替は、上記した切替部２６ａ、２６ｂが切替制御部２７ａ、２７ｂにより制御されて行われる。
【００３７】
本例では、上記したハンドオーバ用のベースバンドカードＢ３ａ、Ｂ３ｂにより、複数のセクタアンテナにより受信した信号を復調処理する際に当該信号を合成することが可能なハンドオーバ用信号処理部が構成されており、このハンドオーバ用信号処理部は上記した非ハンドオーバ用信号処理部とは別個に備えられている。なお、本例のハンドオーバ用ベースバンドカードＢ３ａ、Ｂ３ｂでは、例えば切替部２６ａ、２６ｂが他方のセクタから合成部２４ａ、２４ｂへ入力される復調信号の接続をオフ状態にすることにより、非ハンドオーバ用ベースバンドカードＢ１ａ〜Ｂ２ａ、Ｂ１ｂ〜Ｂ２ｂと同様な処理、すなわち、単一のセクタアンテナにより受信した信号の復調処理を行うこともできる。
【００３８】
また、本例では、例えば移動局から無線送信された同一の信号が複数のセクタアンテナＴ１ａ、Ｔ１ｂにより受信される場合に上記した切替制御部２７ａ、２７ｂが切替部２６ａ、２６ｂを制御してハンドオーバ用ベースバンドカードＢ３ａ、Ｂ３ｂにセクタ間でのダイバーシチ合成を行わせることにより、移動局から無線送信された同一の信号が複数のセクタアンテナにより受信されるセクタ間ハンドオーバ状態を検出して当該信号をハンドオーバ用信号処理部により復調処理させて当該信号を合成させる制御手段が構成されている。
【００３９】
本例では上記のように、各ベースバンドカードＢ１ａ〜Ｂ３ａ、Ｂ１ｂ〜Ｂ３ｂでは最高で２つの受信信号を処理することが可能な構成（すなわち、ユーザ数が２）としてあり、セクタＡとセクタＢの２つの受信部Ｓ１ａ、Ｓ１ｂの全体では最高で１２ユーザ分（すなわち、トータルユーザ数が１２）の受信信号を処理することが可能である。
【００４０】
また、上記のように、本例の各ベースバンドカードＢ１ａ〜Ｂ３ａ、Ｂ１ｂ〜Ｂ３ｂでは２つの復調部１２ａ〜１７ａ、１２ｂ〜１７ｂに対して１つの復号部２１ａ〜２３ａ、２１ｂ〜２３ｂが（ハンドオーバ用ベースバンドカードＢ３ａ、Ｂ３ｂの場合には合成部２４ａ、２４ｂも）共用されており、上記した時分割用切替部１８ａ〜２０ａ、１８ｂ〜２０ｂが２つの復調部１２ａ〜１７ａ、１２ｂ〜１７ｂとの接続を切り替えることで、復号部２１ａ〜２３ａ、２１ｂ〜２３ｂ等では２つの復調部１２ａ〜１７ａ、１２ｂ〜１７ｂからの信号を時分割で処理することが行われる。
【００４１】
次に、上記図２に示した本例の受信部Ｓ１ａ、Ｓ１ｂにより行われる動作の具体例を示す。
例えばユーザにより操作される移動局が一方のセクタアンテナＴ１ａ（セクタＡ）のみにより通信可能な場所に位置している場合には、移動局から無線送信された信号が当該セクタアンテナＴ１ａにより受信されて、セクタＡの受信部Ｓ１ａの無線部１１ａによりベースバンド信号へ周波数変換された後に、変換されたベースバンド信号が例えば非ハンドオーバ用ベースバンドカードＢ１ａの復調部１２ａでＡ／Ｄ変換や逆拡散されて復調される。そして、復調された信号が復号部２１ａに入力されて誤り訂正された後に有線伝送路インターフェイス部２５ａへ出力される。
【００４２】
一方、例えばユーザの移動等に伴って移動局が２つのセクタアンテナＴ１ａ、Ｔ１ｂの両方により通信可能な場所に位置するセクタ間ハンドオーバ状態となると、ＣＤＭＡ無線基地局の受信部Ｓ１ａ、Ｓ１ｂでは、当該移動局から受信した信号を処理するベースバンドカードをハンドオーバ用ベースバンドカードＢ３ａ、Ｂ３ｂに切り替えて、複数のセクタアンテナＴ１ａ、Ｔ１ｂにより当該移動局から受信した同一の信号を合成するダイバーシチ合成処理を行う。
【００４３】
具体的には、移動局から無線送信された同一の信号が２つのセクタアンテナＴ１ａ、Ｔ１ｂにより受信される場合には、ＣＤＭＡ無線基地局では、例えば切替制御部２７ａ、２７ｂがこのようなセクタ間ハンドオーバ状態を検出する。ここで、この検出の仕方としてはどのようなものであってもよく、一例として、セクタＡの受信部Ｓ１ａとセクタＢの受信部Ｓ１ｂとで同一の拡散符号で復調される信号が検出されたことに応じてこれらの信号が同一の信号であるとみなすといった態様を用いることもできる。また、例えば移動局からの信号と雑音とを区別するために、移動局からの信号が受信されたとみなすレベル（閾値）を設けて、当該閾値未満のレベルの信号については雑音とみなすといった態様を用いることもできる。
【００４４】
上記のようにしてセクタ間ハンドオーバ状態が検出されると、各セクタアンテナＴ１ａ、Ｔ２ａにより移動局から受信した同一の信号はそれぞれ、各セクタのハンドオーバ用ベースバンドカードＢ３ａ、Ｂ３ｂ上の復調部１６ａ〜１７ａ、１６ｂ〜１７ｂで復調されるように制御が行われる。また、例えば切替制御部２７ａ、２７ｂでは、セクタＡの受信部Ｓ１ａで当該信号を復調する復調部（復調部１６ａ、１７ａのいずれか）とセクタＢの受信部Ｓ１ｂで当該信号（同一の信号）を復調する復調部（復調部１６ｂ、１７ｂのいずれか）とを特定し、特定した一方の復調部から出力される復調信号を特定した他方の復調部が接続される合成部（合成部２４ａ、２４ｂのいずれか）に入力させるように切替部（切替部２６ａ、２６ｂのいずれか）のスイッチを切替制御する。
【００４５】
これにより、上記した他方の復調部が接続される合成部では特定された同一の信号が合成され、セクタ間ハンドオーバ状態におけるダイバーシチ合成が実現される。また、合成された信号は復号部（復号部２３ａ、２３ｂのいずれか）で復号されて有線伝送路インターフェイス部（有線伝送路インターフェイス部２５ａ、２５ｂのいずれか）へ出力される。
【００４６】
なお、複数のセクタアンテナＴ１ａ、Ｔ１ｂにより移動局から受信した同一の信号を復調するために用いる復調部をハンドオーバ用ベースバンドカードＢ３ａ、Ｂ３ｂ上の復調部１６ａ〜１７ａ、１６ｂ〜１７ｂへ切り替える処理は、例えば当該信号を復調させようとする復調部での逆拡散に用いられる拡散符号（コード）を当該信号に対応したものに変更することや、このような変更を行った復調部を認識するためのアドレス（すなわち、いずれの復調部でいずれの拡散符号が用いられているかといった対応）を変更することにより実現される。
【００４７】
上記のような処理を行うことにより、本例のＣＤＭＡ無線基地局では、例えば移動局が一方のセクタアンテナＴ１ａ（セクタＡ）の配下に存在する時には当該セクタＡの非ハンドオーバ用ベースバンドカードＢ１ａ、Ｂ２ａを用いて復調処理を行う一方、当該移動局が他方のセクタアンテナＴ１ｂ（セクタＢ）の配下へ移動中であって両セクタアンテナＴ１ａ、Ｔ１ｂの配下に存在するようなセクタ間ハンドオーバ時にはセクタＡ及びセクタＢのハンドオーバ用ベースバンドカードＢ３ａ、Ｂ３ｂを用いて当該信号のダイバーシチ合成を行い、また、例えばハンドオーバ処理が終了した時点では当該信号をセクタＢの空いている非ハンドオーバ用ベースバンドカードＢ１ｂ、Ｂ２ｂを用いて復調処理するように切替を行う。
【００４８】
以上のように、例えば従来のＣＤＭＡ無線基地局では上記図６に示したように各セクタ毎に複数設けられる信号処理部の全てをハンドオーバ用信号処理部として構成していたのに対して、本例のＣＤＭＡ無線基地局では、例えば同数の信号処理部を設けるに際して、これら複数の信号処理部の一部をハンドオーバ用信号処理部として構成するとともに、残りを非ハンドオーバ用信号処理部として構成しているため、このような信号処理部の構成を簡易化することができる。
【００４９】
具体的には、本例のＣＤＭＡ無線基地局では、例えばハンドオーバ用信号処理部の代わりに非ハンドオーバ用信号処理部を設けている分、切替制御部２７ａ、２７ｂにかかる負荷や、信号処理部に備える合成部の部品や、合成用の信号線（すなわち、セクタ間でのバスライン）の数や、合成部に対する制御ラインの数を少なくすることができ、これにより、装置コストの低減や装置サイズの縮小を実現することができる。
【００５０】
なお、本例のＣＤＭＡ無線基地局では、例えば複数の信号処理部の内の少なくとも１つの信号処理部がハンドオーバ用信号処理部として構成されているため、当該ハンドオーバ用信号処理部を用いることでセクタ間ハンドオーバ状態における受信信号の合成が可能な構成が担保されている。
【００５１】
ここで、例えばセクタアンテナ毎に複数設けられる信号処理部を幾つのハンドオーバ用信号処理部と幾つの非ハンドオーバ用信号処理部とから構成するかといった割合は、ＣＤＭＡ無線基地局と複数の移動局との間で行われる実際の通信状況においてセクタ間ハンドオーバ処理（セクタ間でのダイバーシチ合成処理）が同時に重なってしまうことがあるであろうと予想される移動局（ユーザ）の最大数に対応することができる程度の割合としておくのが好ましく、すなわち、ハンドオーバ用信号処理部の数を必要且つ十分な程度に設定しておくのがよい。
【００５２】
次に、本発明の第２実施例に係るＣＤＭＡ無線基地局を図３を参照して説明する。なお、本例のＣＤＭＡ無線基地局の全体的な構成としては例えば上記第１実施例の図１に示したものと同様であるため、本例では全体的な構成の説明を省略することとし、以下では、本例のＣＤＭＡ無線基地局の要部に係る受信部の構成を説明する。なお、説明の便宜上から、本例においても上記図１に示した各処理部１〜６と同じ符号を用いて説明を行う。
【００５３】
図３には、上記した本例のＣＤＭＡ無線基地局に備えられた無線部３やベースバンド部４等から構成される各セクタアンテナ毎の受信部の更に詳しい構成例を示してある。なお、本例では、上記第１実施例の場合と同様に、ＣＤＭＡ無線基地局に２つのセクタアンテナＴ２ａ、Ｔ２ｂを備えた構成（２セクタ構成）が用いられた場合を示してある。
同図に示した構成では、各セクタアンテナＴ２ａ、Ｔ２ｂ毎に同様な構成から成る受信部Ｓ２ａ、Ｓ２ｂが備えられており、一方のセクタアンテナＴ２ａに備えられた受信部Ｓ２ａを”セクタＡの受信部”として示してある一方、他方のセクタアンテナＴ２ｂに備えられた受信部Ｓ２ｂを”セクタＢの受信部”として示してある。
【００５４】
ここで、上記したようにセクタＡの受信部Ｓ２ａとセクタＢの受信部Ｓ２ｂとは同様な構成であるため、説明の便宜上から、これら両受信部Ｓ２ａ、Ｓ２ｂの構成をまとめて説明する。
すなわち、各受信部Ｓ２ａ、Ｓ２ｂは、例えば、上記第１実施例の図２に示したものと同様な無線部３１ａ、３１ｂや２つの非ハンドオーバ用ベースバンドカードＣ１ａ〜Ｃ２ａ、Ｃ１ｂ〜Ｃ２ｂや有線伝送路インターフェイス部４５ａ、４５ｂを備えており、また、１つのハンドオーバ用ベースバンドカードＣ３ａ、Ｃ３ｂと、セクタ間でダイバーシチ合成を行う場合に合成対象の信号を選択するスイッチを有した第１切替部４６ａ、４６ｂと、当該第１切替部４６ａ、４６ｂ及び後述する第２切替部４０ａ、４０ｂを制御する切替制御部（ＣＯＮＴ）４７ａ、４７ｂとを備えている。
【００５５】
このように、本例では上記第１実施例の場合と同様に、各セクタ毎のベースバンド部をそれぞれ３つのベースバンドカードＣ１ａ〜Ｃ３ａ、Ｃ１ｂ〜Ｃ３ｂから構成し、各セクタ毎に備えられた３つのベースバンドカードＣ１ａ〜Ｃ３ａ、Ｃ１ｂ〜Ｃ３ｂの内の２つのベースバンドカードＣ１ａ〜Ｃ２ａ、Ｃ１ｂ〜Ｃ２ｂを非ハンドオーバ用に構成するとともに、残りの１つのベースバンドカードＣ３ａ、Ｃ３ｂに合成部４４ａ、４４ｂ等を備えてハンドオーバ用に構成してある。
【００５６】
非ハンドオーバ用のベースバンドカードＣ１ａ〜Ｃ２ａ、Ｃ１ｂ〜Ｃ２ｂの構成は、例えば上記第１実施例の図２に示した非ハンドオーバ用ベースバンドカードＢ１ａ〜Ｂ２ａ、Ｂ１ｂ〜Ｂ２ｂの構成と同様であり、本例の非ハンドオーバ用ベースバンドカードＣ１ａ〜Ｃ２ａ、Ｃ１ｂ〜Ｃ２ｂにはそれぞれ、上記第１実施例の場合と同様な２つの復調部３２ａ〜３５ａ、３２ｂ〜３５ｂと、時分割用切替部３８ａ〜３９ａ、３８ｂ〜３９ｂと、復号部４１ａ〜４２ａ、４１ｂ〜４２ｂとが備えられている。
本例では、上記した非ハンドオーバ用のベースバンドカードＣ１ａ〜Ｃ２ａ、Ｃ１ｂ〜Ｃ２ｂにより、単一のセクタアンテナにより受信した信号を復調処理する非ハンドオーバ用信号処理部が構成されている。
【００５７】
また、ハンドオーバ用のベースバンドカードＣ３ａ、Ｃ３ｂにはそれぞれ、上記した非ハンドオーバ用のベースバンドカードＣ１ａ〜Ｃ２ａ、Ｃ１ｂ〜Ｃ２ｂに備えられたものと同様な２つの復調部３６ａ〜３７ａ、３６ｂ〜３７ｂや復号部４３ａ、４３ｂが備えられているとともに、復調した信号をセクタ間で合成するための合成部４４ａ、４４ｂと、上記した２つの復調部３６ａ〜３７ａ、３６ｂ〜３７ｂの出力端と合成部４４ａ、４４ｂの入力端との間の接続を切り替える第２切替部４０ａ、４０ｂが備えられている。
【００５８】
ここで、上記第１実施例の構成では、一方のセクタアンテナＴ１ａ、Ｔ１ｂにより受信した信号を当該セクタに備えられたハンドオーバ用ベースバンドカードＢ３ａ、Ｂ３ｂで復調した後に他方のセクタへ接続する構成を用いたが、本例の構成では、例えば各セクタＡ、Ｂの受信部Ｓ２ａ、Ｓ２ｂに備えられた無線部３１ａ、３１ｂから出力される信号が復調される前に他方のセクタＢ、Ａの受信部Ｓ２ｂ、Ｓ２ａに備えられたハンドオーバ用ベースバンドカードＣ３ｂ、Ｃ３ａ上の復調部３６ｂ〜３７ｂ、３６ａ〜３７ａへ接続される構成が用いられている。
【００５９】
具体的には、各セクタＡ、Ｂの第１切替部４６ａ、４６ｂでは、当該セクタＡ、Ｂの無線部３１ａ、３１ｂから出力される信号或いは他方のセクタＢ、Ａの無線部３１ｂ、３１ａから出力される信号のいずれかをハンドオーバ用ベースバンドカードＣ３ａ、Ｃ３ｂ上に備えられた各復調部３６ａ〜３７ａ、３６ｂ〜３７ｂの入力端へ入力させる切替を行う機能を有している。また、各セクタＡ、Ｂの第２切替部４４ａ、４４ｂでは当該セクタＡ、Ｂに備えられたハンドオーバ用ベースバンドカードＣ３ａ、Ｃ３ｂ上の２つの復調部３６ａ〜３７ａ、３６ｂ〜３７ｂから出力される復調信号の両方或いは一方を合成部４４ａ、４４ｂへ接続する切替を行う機能を有している。
【００６０】
このような構成により、本例では、各セクタＡ、Ｂに備えられた切替制御部４７ａ、４７ｂが第１切替部４６ａ、４６ｂや第２切替部４０ａ、４０ｂのスイッチを切替制御することにより、一方のセクタアンテナＴ２ａにより受信された信号と他方のセクタアンテナＴ２ｂにより受信された信号とを同一のハンドオーバ用ベースバンドカードＣ３ａ、Ｃ３ｂ上で復調後にダイバーシチ合成することが行われる。なお、本例の受信部Ｓ２ａ、Ｓ２ｂにより行われる動作、すなわち主として、移動局との通信状況に応じて信号処理に用いる非ハンドオーバ用ベースバンドカードＣ１ａ〜Ｃ２ａ、Ｃ１ｂ〜Ｃ２ｂとハンドオーバ用ベースバンドカードＣ３ａ、Ｃ３ｂとを切り替える動作としては、例えば上記第１実施例の場合と同様であるため、説明を省略する。
【００６１】
本例では、上記したハンドオーバ用のベースバンドカードＣ３ａ、Ｃ３ｂにより、複数のセクタアンテナにより受信した信号を復調処理する際に当該信号を合成することが可能なハンドオーバ用信号処理部が構成されている。
また、本例では、例えば移動局から無線送信された同一の信号が複数のセクタアンテナＴ２ａ、Ｔ２ｂにより受信される場合（セクタ間ハンドオーバ時）に上記した切替制御部４７ａ、４７ｂが第１切替部４６ａ、４６ｂや第２切替部４０ａ、４０ｂを制御してハンドオーバ用ベースバンドカードＣ３ａ、Ｃ３ｂにセクタ間でのダイバーシチ合成を行わせることにより、移動局から無線送信された同一の信号が複数のセクタアンテナにより受信されるセクタ間ハンドオーバ状態を検出して当該信号をハンドオーバ用信号処理部により復調処理させて当該信号を合成させる制御手段が構成されている。
【００６２】
以上のように、本例のＣＤＭＡ無線基地局においても上記第１実施例の場合と同様に、複数の信号処理部の一部をハンドオーバ用信号処理部として構成するとともに、残りを非ハンドオーバ用信号処理部として構成してあるため、信号処理部の構成を簡易化することができ、これにより、装置コストの低減や装置サイズの縮小を実現することができる。
【００６３】
また、本例のＣＤＭＡ無線基地局では、例えばセクタ間ハンドオーバ時に一方のセクタアンテナＴ２ａ、Ｔ２ｂで受信した信号と、他方のセクタアンテナＴ２ｂ、Ｔ２ａで受信した同一の信号（同一の移動局から受信した同一の信号）とをダイバーシチ合成するに際して、合成対象となる両信号を復調する前にいずれかのセクタＡ、Ｂに備えられた１つのハンドオーバ用ベースバンドカードＣ３ａ、Ｃ３ｂ上へ接続し、これら両信号をこの１つのハンドオーバ用ベースバンドカードＣ３ａ、Ｃ３ｂ上で逆拡散等して復調し、合成し、復号する構成としたため、例えば上記第１実施例の図２に示した構成の場合に比べて、バスラインの構成等を更に簡易化することができ、また、ベースバンド部での制御を簡易化することができる。
【００６４】
このように、本例のＣＤＭＡ無線基地局では、ハンドオーバ用信号処理部を、信号を復調する復調部と信号を合成する合成部とを有したベースバンドユニットから構成し、合成対象となる複数の信号（移動局から受信した同一の信号）を同一のベースバンドユニット上で復調及び合成するようにすることで、装置コストや装置サイズの縮小化を更に図っている。なお、本例では、ベースバンドユニットとしてベースバンドカードを用いたが、ベースバンドユニットの形状等としてはどのようなものであってもよい。
【００６５】
次に、本発明の第３実施例に係るＣＤＭＡ無線基地局を図４を参照して説明する。なお、本例のＣＤＭＡ無線基地局の全体的な構成としては例えば上記第１実施例の図１に示したものと同様であるため、本例では全体的な構成の説明を省略することとし、以下では、本例のＣＤＭＡ無線基地局の要部に係る受信部の構成を説明する。なお、説明の便宜上から、本例においても上記図１に示した各処理部１〜６と同じ符号を用いて説明を行う。
【００６６】
図４には、上記した本例のＣＤＭＡ無線基地局に備えられた無線部３やベースバンド部４等から構成される各セクタアンテナ毎の受信部の更に詳しい構成例を示してある。なお、本例では、上記第１実施例の場合と同様に、ＣＤＭＡ無線基地局に２つのセクタアンテナＴ３ａ、Ｔ３ｂを備えた構成（２セクタ構成）が用いられた場合を示してある。
同図に示した構成では、各セクタアンテナＴ３ａ、Ｔ３ｂ毎に同様な構成から成る受信部Ｓ３ａ、Ｓ３ｂが備えられており、一方のセクタアンテナＴ３ａに備えられた受信部Ｓ３ａを”セクタＡの受信部”として示してある一方、他方のセクタアンテナＴ３ｂに備えられた受信部Ｓ３ｂを”セクタＢの受信部”として示してある。
【００６７】
ここで、上記したようにセクタＡの受信部Ｓ３ａとセクタＢの受信部Ｓ３ｂとは同様な構成であるため、説明の便宜上から、これら両受信部Ｓ３ａ、Ｓ３ｂの構成をまとめて説明する。
すなわち、各受信部Ｓ３ａ、Ｓ３ｂは、例えば、上記第１実施例の図２に示したものと同様な無線部５２ａ、５１ｂや２つの非ハンドオーバ用ベースバンドカードＤ１ａ〜Ｄ２ａ、Ｄ１ｂ〜Ｄ２ｂや有線伝送路インターフェイス部６５ａ、６５ｂを備えており、また、１つのハンドオーバ用ベースバンドカードＤ３ａ、Ｄ３ｂと、後述する切替部６０ａ、６０ｂを制御する切替制御部（ＣＯＮＴ）６６ａ、６６ｂとを備えている。
【００６８】
このように、本例では上記第１実施例の場合と同様に、各セクタ毎のベースバンド部をそれぞれ３つのベースバンドカードＤ１ａ〜Ｄ３ａ、Ｄ１ｂ〜Ｄ３ｂから構成し、各セクタ毎に備えられた３つのベースバンドカードＤ１ａ〜Ｄ３ａ、Ｄ１ｂ〜Ｄ３ｂの内の２つのベースバンドカードＤ１ａ〜Ｄ２ａ、Ｄ１ｂ〜Ｄ２ｂを非ハンドオーバ用に構成するとともに、残りの１つのベースバンドカードＤ３ａ、Ｄ３ｂに合成部６４ａ、６４ｂ等を備えてハンドオーバ用に構成してある。
【００６９】
非ハンドオーバ用のベースバンドカードＤ１ａ〜Ｄ２ａ、Ｄ１ｂ〜Ｄ２ｂの構成は、例えば上記第１実施例の図２に示した非ハンドオーバ用ベースバンドカードＢ１ａ〜Ｂ２ａ、Ｂ１ｂ〜Ｂ２ｂの構成と同様であり、本例の非ハンドオーバ用ベースバンドカードＤ１ａ〜Ｄ２ａ、Ｄ１ｂ〜Ｄ２ｂにはそれぞれ、上記第１実施例の場合と同様な２つの復調部５２ａ〜５５ａ、５２ｂ〜５５ｂと、時分割用切替部５８ａ〜５９ａ、５８ｂ〜５９ｂと、復号部６１ａ〜６２ａ、６１ｂ〜６２ｂとが備えられている。
本例では、上記した非ハンドオーバ用のベースバンドカードＤ１ａ〜Ｄ２ａ、Ｄ１ｂ〜Ｄ２ｂにより、単一のセクタアンテナにより受信した信号を復調処理する非ハンドオーバ用信号処理部が構成されている。
【００７０】
また、本例のハンドオーバ用の各ベースバンドカードＤ３ａ、Ｄ３ｂには、例えば上記第２実施例の図３に示した構成と同様に、上記した非ハンドオーバ用のベースバンドカードＤ１ａ〜Ｄ２ａ、Ｄ１ｂ〜Ｄ２ｂに備えられたものと同様な２つの復調部５６ａ〜５７ａ、５６ｂ〜５７ｂや復号部６３ａ、６３ｂが備えられているとともに、復調した信号をセクタ間で合成するための合成部６４ａ、６４ｂと、上記した２つの復調部５６ａ〜５７ａ、５６ｂ〜５７ｂの出力端と合成部６４ａ、６４ｂの入力端との間の接続を切り替えることでセクタ間でダイバーシチ合成を行う場合に合成対象の信号を選択するスイッチを有した切替部６０ａ、６０ｂが備えられている。
【００７１】
ここで、上記第２実施例の構成では、各セクタＡ、Ｂに備えられたハンドオーバ用ベースバンドカードＤ３ａ、Ｄ３ｂ上の各復調部３６ａ〜３７ａ、３６ｂ〜３７ｂの前段に第１切替部４６ａ、４６ｂを備えて各復調部３６ａ〜３７ａ、３６ｂ〜３７ｂに入力させる信号の切替処理を行う構成を用いたが、本例の構成では、各セクタＡ、Ｂに備えられたハンドオーバ用ベースバンドカードＤ３ａ、Ｄ３ｂ上の一方の復調部５６ａ、５６ｂの入力端には当該セクタＡ、Ｂの無線部５１ａ、５１ｂの出力端が接続されている一方、他方の復調部５７ａ、５７ｂの入力端には他方のセクタＢ、Ａの無線部５１ｂ、５１ａの出力端が接続されている構成が用いられている。
【００７２】
すなわち、本例では、上記第２実施例で示した第１切替部４６ａ、４６ｂに相当するスイッチが備えられておらず、各セクタＡ、Ｂに備えられたハンドオーバ用ベースバンドカードＤ３ａ、Ｄ３ｂ上の各復調部５６ａ〜５７ａ、５６ｂ〜５７ｂの一方には常に当該セクタＡ、Ｂの無線部５１ａ、５１ｂから出力される受信信号が入力されるとともに、他方には常に他方のセクタＢ、Ａの無線部５１ｂ、５１ａから出力される受信信号が入力されるような配線が設けられている。
【００７３】
このような構成により、本例では、各セクタＡ、Ｂに備えられた切替制御部６６ａ、６６ｂが切替部６０ａ、６０ｂのスイッチを切替制御することで、一方のセクタアンテナＴ３ａにより受信された信号と他方のセクタアンテナＴ３ｂにより受信された同一の信号（同一の移動局から受信した同一の信号）とを同一のハンドオーバ用ベースバンドカードＤ３ａ、Ｄ３ｂ上で復調後にダイバーシチ合成することが行われる。なお、本例の受信部Ｓ３ａ、Ｓ３ｂにより行われる動作、すなわち主として、移動局との通信状況に応じて信号処理に用いる非ハンドオーバ用ベースバンドカードＤ１ａ〜Ｄ２ａ、Ｄ１ｂ〜Ｄ２ｂとハンドオーバ用ベースバンドカードＤ３ａ、Ｄ３ｂとを切り替える動作としては、例えば上記第１実施例の場合と同様であるため、説明を省略する。
【００７４】
本例では、上記したハンドオーバ用のベースバンドカードＤ３ａ、Ｄ３ｂにより、複数のセクタアンテナにより受信した信号を復調処理する際に当該信号を合成することが可能なハンドオーバ用信号処理部が構成されている。
また、本例では、例えば移動局から無線送信された同一の信号が複数のセクタアンテナＴ３ａ、Ｔ３ｂにより受信される場合（セクタ間ハンドオーバ時）に上記した切替制御部６６ａ、６６ｂが切替部６０ａ、６０ｂを制御してハンドオーバ用ベースバンドカードＤ３ａ、Ｄ３ｂにセクタ間でのダイバーシチ合成を行わせることにより、移動局から無線送信された同一の信号が複数のセクタアンテナにより受信されるセクタ間ハンドオーバ状態を検出して当該信号をハンドオーバ用信号処理部により復調処理させて当該信号を合成させる制御手段が構成されている。
【００７５】
以上のように、本例のＣＤＭＡ無線基地局においても上記第１実施例の場合と同様に、複数の信号処理部の一部をハンドオーバ用信号処理部として構成するとともに、残りを非ハンドオーバ用信号処理部として構成してあるため、信号処理部の構成を簡易化することができ、これにより、装置コストの低減や装置サイズの縮小を実現することができる。
【００７６】
また、本例のＣＤＭＡ無線基地局においても上記第２実施例の場合と同様に、合成対象となる複数の信号（移動局から受信した同一の信号）を同一のベースバンドカード上で復調し、合成し、復号するような構成であるため、装置コストや装置サイズの縮小化を更に図ることができる。
また、本例のＣＤＭＡ無線基地局では、上記第２実施例で示した第１切替部４６ａ、４６ｂに相当するスイッチを省略することで、ダイバーシチ合成を行うための構成を更に簡易化している。
【００７７】
ここで、以上の実施例では、ＣＤＭＡ無線基地局の各セクタアンテナ毎に備えられたハンドオーバ用信号処理部の数と非ハンドオーバ用信号処理部の数が一定に固定されている場合の構成例を示したが、本発明のＣＤＭＡ無線基地局では、例えばセクタアンテナ毎に複数設けられた信号処理部の一部をハンドオーバ用信号処理部に代えて非ハンドオーバ用信号処理部とすることが可能な構成とすることもでき、これにより、ＣＤＭＡ無線基地局の使用状況等に応じて、ハンドオーバ用信号処理部と非ハンドオーバ用信号処理部との割合を変更することが可能な構成とすることもできる。
【００７８】
具体的には、例えばハンドオーバ用と非ハンドオーバ用とを切り替えることが可能なベースバンドカード（例えばベースバンドカード自体を適時着脱して取り替えることが可能な態様を含む）を用意することで、ＣＤＭＡ無線基地局を設置する場所におけるトラフィックの状況に応じて、当該無線基地局での受信信号の処理に用いられるハンドオーバ用ベースバンドカードと非ハンドオーバ用ベースバンドカードとの割合を変更することが可能な構成とすることもできる。このような構成を用いた場合には、例えばＣＤＭＡ無線基地局に備えられるベースバンドカードの全体の数を変更せずとも、ハンドオーバ用の数と非ハンドオーバ用の数との割合を変更することで、トラフィックの状況に柔軟に対応することができる。
【００７９】
また、本発明のＣＤＭＡ無線基地局では、例えば当該無線基地局に備えられるセクタアンテナ（すなわち、セクタ）の数や、各セクタアンテナ毎に設けられる信号処理部の総数（上記実施例ではハンドオーバ用信号処理部と非ハンドオーバ用信号処理部との総数）や、ハンドオーバ用信号処理部の数と非ハンドオーバ用信号処理部の数との割合や、同時に復調処理することが可能な最高の信号数（ユーザ数）等としては、種々な態様が用いられてもよい。なお、例えばセクタ数や信号処理部の数やユーザ数が大きくなるに従って本発明により得られる効果が増大する。
【００８０】
また、ハンドオーバ用信号処理部や非ハンドオーバ用信号処理部の構成の仕方としては、必ずしも上記実施例で示したものに限られることはなく、種々な構成が用いられてもよい。一例として、上記実施例ではベースバンド部以降（有線伝送路インターフェイス部側）の構成を各セクタ毎で分けて、セクタ毎に別個なユニットにハンドオーバ用信号処理部を設ける等したが、例えば複数のセクタに対して備えられるハンドオーバ用信号処理部を１つのユニットにまとめて構成した態様等を用いることもできる。
【００８１】
また、上記実施例では、ＣＤＭＡ無線基地局に２つのセクタアンテナを設けてこれらのセクタアンテナにより受信した２つの信号（同一の信号）を合成する態様を示したが、例えば３つ以上のセクタアンテナが設けられている構成では、セクタ間ハンドオーバ時に合成する信号の数、すなわち幾つのセクタアンテナから受信された同一の信号を合成するかといったことは任意であってもよい。具体的には、例えば上記第１実施例や第２実施例のような構成では、３つ以上のセクタアンテナ（全てでもよい）で受信された同一の信号を合成することが可能なように切替部等を構成してもよく、また、例えば上記第３実施例のような構成では、３つ以上のセクタアンテナ（全てでもよい）に備えられた各無線部の出力端を１つのハンドオーバ用ベースバンドカード上の各復調部（例えば各セクタ毎に異なる復調部）に接続するような配線の構成を用いることもできる。
【００８２】
また、ＣＤＭＡ無線基地局に備えられたハンドオーバ用信号処理部と非ハンドオーバ用信号処理部とを使い分けて受信信号の復調処理を制御する構成としては、例えばプロセッサやメモリ等を備えたハードウエア資源においてプロセッサが制御プログラムを実行することにより実現されてもよく、また、例えばＣＤＭＡ無線基地局により行われる復調処理等を実行するための各機能手段が独立したハードウエア回路として構成されていてもよい。
【００８３】
【発明の効果】
以上説明したように、本発明に係るＣＤＭＡ無線基地局によると、指向性を有する複数のセクタアンテナを備え、ＣＤＭＡ方式により変調されて移動局から無線送信された信号をセクタアンテナにより受信し、受信した信号を復調処理する構成において、非ハンドオーバ用信号処理部とハンドオーバ用信号処理部とを別個に備え、移動局から無線送信された同一の信号が複数のセクタアンテナにより受信されるセクタ間ハンドオーバ時に当該信号をハンドオーバ用信号処理部により復調処理させて当該信号を合成させるようにしたため、例えばセクタ間ハンドオーバ時には受信信号のダイバーシチ合成を行うことが可能な構成を担保しつつ、非ハンドオーバ用信号処理部については合成用の信号線等を設ける必要がないため、装置コストの低減や装置サイズの縮小を図ることができる。
【００８４】
また、本発明に係るＣＤＭＡ無線基地局では、上記の合成に際して、合成対象となる複数の信号を同一のベースバンドユニット上で復調及び合成するようにしたため、当該合成のための処理の制御を簡易化等することができる。
また、本発明に係るＣＤＭＡ無線基地局では、例えばセクタアンテナ毎に複数設けられた信号処理部の一部をハンドオーバ用信号処理部に代えて非ハンドオーバ用信号処理部とした構成を用いることもでき、例えば当該ＣＤＭＡ無線基地局の通信状況等に応じてハンドオーバ用信号処理部と非ハンドオーバ用信号処理部との割合を変更することが可能な構成を用いることもできる。
【図面の簡単な説明】
【図１】本発明の一実施例に係るＣＤＭＡ無線基地局の一例を示す図である。
【図２】本発明の第１実施例に係るＣＤＭＡ無線基地局の要部の構成例を示す図である。
【図３】本発明の第２実施例に係るＣＤＭＡ無線基地局の要部の構成例を示す図である。
【図４】本発明の第３実施例に係るＣＤＭＡ無線基地局の要部の構成例を示す図である。
【図５】従来例に係るＣＤＭＡ無線基地局の構成を示す図である。
【図６】従来例に係るＣＤＭＡ無線基地局の受信部の構成を説明するための図である。
【符号の説明】
１・・アンテナ部、  ２・・送受信増幅部、  ３・・無線部、
４・・ベースバンド部、  ５・・有線伝送路インターフェイス部、
６・・無線基地局制御部、
Ｔ１ａ〜Ｔ３ａ、Ｔ１ｂ〜Ｔ３ｂ・・セクタアンテナ、
Ｓ１ａ〜Ｓ３ａ、Ｓ１ｂ〜Ｓ３ｂ・・受信部、
１１ａ、１１ｂ、３１ａ、３１ｂ、５１ａ、５１ｂ・・無線部、
Ｂ１ａ、Ｂ２ａ、Ｂ１ｂ、Ｂ２ｂ、Ｃ１ａ、Ｃ２ａ、Ｃ１ｂ、Ｃ２ｂ、Ｄ１ａ、Ｄ２ａ、Ｄ１ｂ、Ｄ２ｂ・・非ハンドオーバ用ベースバンドカード、
Ｂ３ａ、Ｂ３ｂ、Ｃ３ａ、Ｃ３ｂ、Ｄ３ａ、Ｄ３ｂ・・ハンドオーバ用ベースバンドカード、
１２ａ〜１７ａ、１２ｂ〜１７ｂ、３２ａ〜３７ａ、３２ｂ〜３７ｂ、５２ａ〜５７ａ、５２ｂ〜５７ｂ・・復調部、
１８ａ〜２０ａ、１８ｂ〜２０ｂ、３８ａ、３９ａ、３８ｂ、３９ｂ、５８ａ、５９ａ、５８ｂ、５９ｂ・・時分割用切替部、
２１ａ〜２３ａ、２１ｂ〜２３ｂ、４１ａ〜４３ａ、４１ｂ〜４３ｂ、６１ａ〜６３ａ、６１ｂ〜６３ｂ・・復号部、
２４ａ、２４ｂ、４４ａ、４４ｂ、６４ａ、６４ｂ・・合成部、
２５ａ、２５ｂ、４５ａ、４５ｂ、６５ａ、６５ｂ・・有線伝送路インターフェイス部、
２６ａ、２６ｂ、４０ａ、４０ｂ、４６ａ、４６ｂ、６０ａ、６０ｂ・・切替部、
２７ａ、２７ｂ、４７ａ、４７ｂ、６６ａ、６６ｂ・・切替制御部、
【図１】
0003648084.tif 000002
【図２】
0003648084.tif 000003
【図３】
0003648084.tif 000004
【図４】
0003648084.tif 000005
【図５】
0003648084.tif 000006
【図６】
0003648084.tif 000007